(57)【要約】【課題】補機の冷却に使用された温海水の冷却が低廉な費用で継続して可能な原子力発電プラントを提供すること。【解決手段】海（１０８）から取り込まれた海水が貯留される取水路（１０２）と、取水路（１０２）内の海水を原子炉建屋（３００）内の補機（３１０）の冷却水として汲み上げるポンプ（１３０）と、補機（３１０）と熱交換し加熱された海水を空気と熱交換して冷却し、その冷却後の海水を取水路（１０２）に戻す冷却設備（１５）とを備える。【選択図】図２
2014153305.tif 000002
【特許請求の範囲】
【請求項１】
海から取り込まれた海水が貯留される取水路と、
前記取水路内の海水を原子炉建屋内の補機の冷却水として汲み上げるポンプと、
前記補機と熱交換し加熱された海水を空気と熱交換して冷却し、その冷却後の海水を前記取水路に戻す冷却設備とを備えることを特徴とする原子力発電プラント。
【請求項２】
請求項１に記載の原子力発電プラントにおいて、
前記原子炉建屋内の補機との熱交換により加熱された海水を放水路に導入するための放水配管と、
当該放水配管と前記冷却設備を接続する配管であって、前記原子炉建屋内の補機との熱交換により加熱された海水を前記放水配管から前記冷却設備に導入するための連絡配管と、
前記原子炉建屋内の補機との熱交換により加熱された海水の導入先を前記放水路と前記バイパス路のいずれかに選択的に切り換えるための切換装置とをさらに備えることを特徴とする原子力発電プラント。
【請求項３】
請求項２に記載の原子力発電プラントにおいて、
前記取水路内の海水の水位を検出するための水位センサと、
前記水位センサによる検出水位が設定値未満に達したときに前記切換装置に信号を出力し、前記原子炉建屋内の補機により加熱された海水の導入先を前記放水路から前記連絡配管に切り換える制御装置とをさらに備えることを特徴とする原子力発電プラント。
【請求項４】
請求項２又は３のいずれかに記載の原子力発電プラントにおいて、
前記冷却設備と前記取水路を接続する配管であって、前記冷却設備で冷却された海水を前記取水路に導入するための給水配管と、
前記給水配管と前記放水配管を接続する配管であって、前記冷却設備で冷却された海水を前記放水路に導入するための他の放水配管と、
前記冷却設備で冷却された海水の導入先を前記給水配管と前記他の放水配管のいずれかに選択的に切り換えるための他の切換装置と、
前記取水路における海水と前記放水路を通過する海水の温度偏差を検出するための温度センサとをさらに備え、
前記放水配管には、さらにタービン建屋の補機と復水器内の蒸気により加熱された海水が導入されており、
前記制御装置は、前記水位センサによる検出水位が設定値以上で前記温度センサにより検出される温度偏差が設定値を超えたとき、前記切換装置に信号を出力して前記放水配管内の海水の導入先を前記放水路から前記連絡配管に切り換えるとともに、前記他の切換装置に信号を出力して前記冷却設備で冷却された海水の導入先を前記他の放水配管に切り換えることを特徴とする原子力発電プラント。
【発明の詳細な説明】
【技術分野】
【０００１】
本発明は原子力発電プラントに関し、特にプラント冷却水冷却システムに関する。
【背景技術】
【０００２】
原子力発電プラントは、原子炉建屋内及びタービン建屋内に設置される各補機を冷却するため系統として補機冷却水系統を備えている。そして、当該補機冷却水系統に供給するための海水（冷却水）を取水路から汲み上げる海水ポンプ群には、原子炉建屋内の原子炉補機を冷却するための原子炉補機冷却海水ポンプと、タービン建屋内の蒸気タービンを駆動した蒸気を復水器で冷却（復水）するための循環水ポンプ（ＣＷＰ）と、タービン建屋内のタービン補機を冷却するためのタービン補機冷却海水ポンプ（ＴＳＷポンプ）が含まれる。大規模地震に伴う大規模な津波（押し波及び引き波）の発生時には、前述の海水ポンプ群の中でプラント常用系の循環水ポンプとタービン補機冷却海水ポンプは、原子炉冷却機能を確保・維持するために、あらかじめ規定されている津波対策の運転手順に基づいて各種の状況情報を確認した上で運転員の判断により手動操作にて停止される。一方、原子炉冷却に必要な原子炉補機冷却海水ポンプの運転は継続させ、安定した原子炉冷却機能を確保・維持するように計画されている。
【０００３】
津波発生時における海水ポンプの水源確保に関する技術としては、例えば、取水路に堰を設け、当該取水路の上方に非常用系海水貯蔵プールを設置し、地震による津波が発生した際には、原子炉補機冷却海水ポンプによって取水路から汲み上げられ補機の冷却に使用された海水（温水）を当該非常用系海水貯蔵プールに導き、当該プールから溢れ出た海水を取水路に還流させる構造とすることで、海水水位が地震による引き波で低下しても取水路からの冷却水の確保を可能としたものがある（特開２００１−１１６８８０号公報参照）。
【０００４】
また、当該文献は、補機の冷却に使用された温海水は、取水側よりも高温となるが、非常用系海水貯蔵プール内に予め貯蔵された海水で希釈されるため、当該温海水を直接取水路へ放水するよりも温度上昇は緩和されるとしている。
【先行技術文献】
【特許文献】
【０００５】
【特許文献１】特開２００１−１１６８８０号公報
【発明の概要】
【発明が解決しようとする課題】
【０００６】
しかし、特開２００１−１１６８８０号公報の技術では、補機の冷却に使用された温海水を冷却するために非常用系海水貯蔵プールを別途設ける必要があり、当該プールを建設するための土木工事費が比較的高額となるおそれがある。また、当該技術では、温海水の冷却は、当該温海水（高温水）をプールに貯蔵された海水（低温水）と混合することで行っているが、水源が断たれた状況で原子力プラントの運転が長時間継続した場合には、プール内の海水温度が上昇して、温海水の冷却性能が低下するおそれがある。
【０００７】
本発明の目的は、補機の冷却に使用された温海水の冷却が低廉な費用で継続して可能な原子力発電プラントを提供することにある。
【課題を解決するための手段】
【０００８】
本発明は、上記目的を達成するために、海から取り込まれた海水が貯留される取水路と、前記取水路内の海水を原子炉建屋内の補機の冷却水として汲み上げるポンプと、前記補機と熱交換し加熱された海水を空気と熱交換して冷却し、その冷却後の海水を前記取水路に戻す冷却設備とを備えることものとする。
【発明の効果】
【０００９】
本発明によれば、補機の冷却に使用された温海水の冷却が低廉な費用で継続できる。
【図面の簡単な説明】
【００１０】
【図１】本発明の実施の形態に係る原子力発電プラントの概略図。
【図２】本発明の第１の実施の形態に係る原子力発電プラント冷却水冷却システムの概略構成図。
【図３】本発明の第２の実施の形態に係る原子力発電プラント冷却水冷却システムの概略構成図。
【発明を実施するための形態】
【００１１】
以下、本発明の実施の形態について図面を用いて説明する。なお、以下の説明では、同一の構成要素が複数存在する場合、符号の末尾にアルファベットの大文字を付すことがあるが、当該アルファベットの大文字を省略して当該複数の構成要素をまとめて表記することがある。例えば、同一の３つのポンプ１９０Ａ、１９０Ｂ、１９０Ｃが存在するとき、これらをまとめてポンプ１９０と表記することがある。
【００１２】
図１は本発明の実施の形態に係る原子力発電プラントの概略図である。この図に示す原子力発電プラントは、循環水ポンプ（Circulating Water Pump：ＣＷＰ）１２０と、タービン補機冷却海水（Turbine Building Sea Water System：ＴＳＷ）ポンプ１２２と、原子炉補機冷却海水ポンプ１３０を備えている。
【００１３】
ＣＷＰ１２０は、取水路１０２を介して海洋１０８から引き込んだ海水を汲み上げ、当該海水をタービン建屋２００内の蒸気タービン復水器（図示せず）に対して、タービンを回転駆動した蒸気を復水するための冷却水として供給するポンプである。
【００１４】
取水路１０２の取水口は、海辺に設けられており、海洋１０８に開口している。取水口の入口には、ごみを取り除くためのスクリーン１０６が設置されている。また、取水路１０２の取水口の近傍には堰１００が設けられており、海１０８から取り込まれた海水は、取水路１０２において堰１００よりも建屋２００，３００側に貯留される。堰１００の高さは、少なくとも平常の潮位より低くかつ引き波時の潮位より高く設定されており、引き波の発生時にも取水路１０２内に海水が残るようになっている。取水路１０２は堰１００よりもプラント側（タービン建屋２００及び原子炉建屋３００）の場所で補機冷却用取水路１０４に分岐しており、補機冷却用取水路１０４内にも海水が導入されている。
【００１５】
ＴＳＷポンプ１２２Ａ，１２２Ｂ，１２２Ｃは、取水路１０２から海水を汲み上げて、当該海水を、タービン建屋２００内の各補機２１０を間接的に冷却するための冷却水として、タービン補機冷却水系熱交換器２１２に供給するポンプである。図１に示したプラントでは、３機のＴＳＷポンプ１２２Ａ，１２２Ｂ，１２２Ｃが設置されているが、ポンプの数はこれだけに限らない。ＴＳＷポンプ１２２Ａ，Ｂ，Ｃに汲み上げられ、タービン補機冷却水系熱交換器２１２に導入された海水は、各補機２１０を冷却して加熱された熱媒体（例えば、水）と熱交換して加熱された後に、放水路１１０に排出され海洋１０８に戻される。
【００１６】
原子炉補機冷却海水ポンプ１３０は、取水路１０２又は補機冷却用取水路１０４から海水を汲み上げて、当該海水を、原子炉建屋３００内の各補機３１０を間接的に冷却するための冷却水として、原子炉補機冷却水系熱交換器３１２に供給するポンプである。図１に示したプラントでは、３系統の原子炉補機冷却海水ポンプ１３０Ａ，１３０Ｂ，１３０Ｃが設置されており、各系統は２機のポンプを備えるが、各系統の数及び各系統における海水ポンプの数はこれだけに限らない。原子炉補機冷却海水ポンプ１３０Ａ，Ｂ，Ｃに汲み上げられ、原子炉補機冷却水系熱交換器３１２に導入された海水は、各補機３１０を冷却して加熱された熱媒体（例えば、水）と熱交換して加熱された後に、放水配管１１を介して放水路１１０に排出され海洋１０８に戻される。
【００１７】
なお、図１の例では、取水路１０２と補機冷却用取水路１０４を海水源としたが、ＣＷＰ１２０、ＴＳＷポンプ１２２および原子炉補機冷却海水ポンプ１３０は、津波によって海洋との接続が遮断される水源を共用していれば良く、図１の例に限られない。すなわち、例えば、全てのポンプ１２０，１２２，１３０の水源を取水路１０２としても良い。
【００１８】
図２は本発明の第１の実施の形態に係る冷却水冷却システムの概略構成図である。なお、先の図と同じ部分には同じ符号を付して説明を省略することがある（後の図も同様とする）。
【００１９】
この図に示す冷却水冷却システムは、水位計８と、放水配管１１と、連絡配管６と、冷却設備１５と、給水配管７と、放水側切換弁９と、取水側切換弁１０と、制御装置２０を備えている。
【００２０】
水位計（水位センサ）８は、取水路１０２内の海水の水位を検出するためのもので、検出した水位を制御装置２０に出力している。水位計８は、取水路１０２の壁面と堰１００によって画定される空間（冷却水貯蔵プール）に貯留され、原子炉補機冷却海水ポンプ（以下、単に「ポンプ」と称することがある）１３０によって補機３１０の冷却水として汲み上げられる海水の水位を検出している。
【００２１】
放水配管１１は、原子炉建屋３００内の補機３１０との熱交換により加熱された海水を放水路１１０に導入するための配管であり、熱交換器３１２の出口と放水路１１０を接続している。放水配管１１には連絡配管６が接続されており、放水配管１１における連絡配管６との接続部の下流側には、制御装置２０からの指令に基づいて開閉される放水側切換弁（開閉弁）９が取り付けられている。
【００２２】
連絡配管６は、放水配管１１と冷却設備１５を接続する配管であって、原子炉建屋３００内の補機３１０との熱交換により加熱された海水を放水配管１１から冷却設備１５に導入するための配管である。連絡配管６には、制御装置２０からの指令に基づいて開閉される取水側切換弁（開閉弁）１０が取り付けられている。
【００２３】
放水側切換弁９と取水側切換弁１０は、原子炉建屋３００内の補機３１０との熱交換により加熱された海水の導入先を、放水路１１０と冷却設備１５（連絡配管６または取水路１０２）のいずれかに選択的に切り換えるための切換装置である。海水の導入先が放水路１１０である場合には、制御装置２０によって、放水側切換弁９が開かれ、取水側切換弁１０が閉じられる。一方、海水の導入先が冷却設備１５である場合には、制御装置２０によって、放水側切換弁９が閉じられ、取水側切換弁１０が開かれる。
【００２４】
冷却設備１５は、連絡配管６を介して導入される海水を空気と熱交換して冷却し、その冷却後の海水を取水路１０２に戻すものである。図２に示した例では冷却設備１５として、クーリングタワー（冷却塔）を利用している。クーリングタワーでは、海水と空気（外気）を直接接触又は間接接触させて一部の海水が蒸発することで残りの海水が冷却される。なお、クーリングタワーには、タワー上部に冷却対象である海水を汲み上げるためのポンプや、タワー内部に空気（外気）を取り込むためのファンを回転駆動するためのモータが搭載されることがあるが、その場合の当該ポンプ又は当該モータの電源は地震や津波の発生時にも利用可能な非常用電源が利用されることがある。
【００２５】
冷却設備１５で冷却された海水は、給水配管（取水路連絡配管）７を介して取水路１０２に還流される。給水配管７は、冷却設備１５によって冷却された海水を取水路１０２に導入するための配管であり、冷却設備１５と取水路１０２を接続している。図２に示した給水配管７の取水路１０２側の端部には、散水ノズルが設けられており、当該散水ノズルから取水路１０２に向けて海水を散布することで海水がさらに冷却される。
【００２６】
給水配管７を介して冷却設備１５から取水路１０２への海水の導入や、給水配管７の端部に設けた散水ノズルによる散水は、それぞれ、駆動源が必要なポンプ等による圧送を利用することなく、重力を利用することによって行うことが好ましい。そのため、給水配管７は、取水路１０２の天井面より高い位置（例えば、コンクリートスラブの上面）に所定の下り勾配を設けて敷設し、給水配管７の取水路１０２側の端部及び散水ノズルは、取水路１０２内において堰１００の上端部よりも高い位置（例えば、取水路１０２内の天井面の近傍）に設置することが好ましい。
【００２７】
制御装置２０は、水位計８による検出水位が設定値（設定水位）未満に達したときに放水側切換弁９と取水側切換弁１０に信号を出力し、原子炉建屋３００内の補機３１０により加熱された海水の導入先を放水路１１０から連絡配管６に切り換える処理を実行する機能を有する。制御装置２０には水位計８から検出水位が入力されている。設定水位は、種々の値の設定が可能であるが、ここでは堰１００の上端部の高さが設定水位として設定されているものとする。
【００２８】
通常運転時、放水側切換弁９は開かれており、取水側切換弁１０は閉じられている。これにより、取水路１０２からポンプ１３０によって汲み上げられ、原子炉建屋３００内の熱交換器３１２で加熱された海水は、放水配管１１と放水路１１０を介して海洋１０８に放出される。
【００２９】
一方、地震による津波の影響等で海水面が低下し、水位計８による検出水位が設定水位未満に達したことが確認できたら、制御装置２０は、放水側切換弁９と取水側切換弁１０に信号を出力し、放水側切換弁９を閉じ、取水側切換弁１０を開く。これにより熱交換器３１２で加熱された海水は、連絡配管６を介して冷却設備１５に導入される。冷却設備１５に導入された海水は、冷却設備１５内で空気と熱交換して冷却され、給水配管７を介して取水路１０２に放出される。これにより、海洋１０８から取水路１０２への海水供給が遮断された状況においても、取水路１０２内の海水量を減少させることなく取水路１０２内の海水温度上昇を軽減することができるので、原子炉建屋３００内の補機３１０を継続して冷却することができる。また、本実施の形態によれば、特開２００１−１１６８８０号公報に記載された技術のように非常用系海水貯蔵プールを別途設ける必要が無いので、温海水の冷却を低廉な費用で継続して行うことができる。
【００３０】
図３は本発明の第２の実施の形態に係る原子力発電プラント冷却水冷却システムの概略構成図である。この図に示す冷却水冷却システムは、第１放水配管１１と、第２放水配管１８と、第１放水側切換弁９と、第１取水側切換弁１０と、第２放水側切換弁１７と、第２取水側切換弁１６と、温度計（温度センサ）１９，２１を備えている。
【００３１】
第１放水配管１１には、原子力建屋３００に係る熱交換器３１２と、タービン建屋２００に係る熱交換器２１２および復水器（図示せず）とが接続されており、原子力建屋３００の補機３１０に加熱された海水に加えて、タービン建屋２００の補機２１０と復水器内の蒸気に加熱された海水が導入されている。
【００３２】
第２放水配管（他の放水配管）１８は、冷却設備１５で冷却された海水を放水路１１０に導入するための配管であり、給水配管７と第１放水配管１１を接続している。第１放水配管１１における第２放水配管１８との接続箇所は、連絡配管６との接続箇所よりも下流側に位置している。
【００３３】
第１放水配管１１には、第２放水配管１８との接続箇所よりも下流側の位置において、温度計１９が設置されている。温度計１９は、放水路１１０を通過するときの海水の温度を検出するためのものであり、検出した温度を制御装置２０に出力している。また、取水路１０２内には温度計２１が設置されている。温度計２１は、取水路１０２又は海洋１０８における海水の温度を検出するためのものであり、検出した温度を制御装置２０に出力している。温度計２１は、取水路１０２内に設置する必要は無く、取水路１０２の近傍に設置しても良い。
【００３４】
２つの温度計１９，２１による検出温度は、取水時の海水温度（取水路１０２における温度）と排水時の海水温度（排水路１１０から排水したときの温度）の差が所定の範囲（設定温度）に収まっているかを判定するために利用されており、制御装置２０は両者の温度偏差が所定の設定値を超えた否かを判定し、その判定に基づいて第１放水側切換弁９、第１取水側切換弁１０、第２放水側切換弁１７、および第２取水側切換弁１６の制御を行う。
【００３５】
第１放水側切換弁９、第１取水側切換弁１０、第２放水側切換弁１７、第２取水側切換弁１６は、制御装置２０からの指令に基づいて開閉される開閉弁である。第１放水側切換弁（開閉弁）９は、連絡配管６との接続箇所と、第２放水配管１８との接続箇所との間に位置するように第１放水配管１１に取り付けられている。第１取水側切換弁（開閉弁）１０は、連絡配管６に取り付けられている。第２放水側切換弁（開閉弁）１７は、第２放水配管１８に取り付けられている。第２取水側切換弁（開閉弁）１６は、第２放水配管１８との接続箇所よりも下流側に位置するように給水配管７に取り付けられている。
【００３６】
第１放水側切換弁９と第１取水側切換弁１０は、原子炉建屋３００内の補機３１０との熱交換により加熱された海水の導入先を、放水路１１０と冷却設備１５のいずれかに選択的に切り換えるための切換装置である。海水の導入先が放水路１１０である場合には、制御装置２０によって、第１放水側切換弁９が開かれ、第１取水側切換弁１０が閉じられる。一方、海水の導入先が冷却設備１５である場合には、制御装置２０によって、第１放水側切換弁９が閉じられ、第１取水側切換弁１０が開かれる。
【００３７】
第２放水側切換弁１７と第２取水側切換弁１６は、冷却設備１５で冷却された海水の導入先を、取水路１０２と放水路１１０（第２放水配管１８）のいずれかに選択的に切り換えるための切換装置である。海水の導入先が放水路１１０である場合には、制御装置２０によって、第２放水側切換弁１７が開かれ、第２取水側切換弁１６が閉じられる。一方、海水の導入先が取水路１０２である場合には、制御装置２０によって、第２放水側切換弁１７が閉じられ、第２取水側切換弁１６が開かれる。
【００３８】
通常運転時（温度計１９，２１の検出温度の偏差が設定値未満かつ水位計８による検出水位が設定水位以上のとき）、第１放水側切換弁９は開かれており、第１取水側切換弁１０、第２放水側切換弁１７および第２取水側切換弁１６は閉じられている。これにより、取水路１０２からポンプ１３０等によって汲み上げられ、熱交換器２１２，３１２及び復水器で加熱された海水は、第１放水配管１１と放水路１１０を介して海洋１０８に放出される。
【００３９】
また、温度計１９，２１の検出温度の偏差が設定値（設定温度）を超えかつ水位計８による検出水位が設定水位以上であることが確認された場合には、制御装置２０は、第１放水側切換弁９と第１取水側切換弁１０に信号を出力し、第１放水側切換弁９を閉じ、第１取水側切換弁１０を開く。これにより補機３１０，２１０及び復水器により加熱された海水は、連絡配管６を介して冷却設備１５に導入されて冷却される。さらに、制御装置２０は、第２放水側切換弁１７と第２取水側切換弁１６に信号を出力し、第２放水側切換弁１７を開き、第２取水側切換弁１６を閉じる。これにより冷却設備１５で冷却された海水は、第２放水配管１８と第１放水配管１１を介して放水路１１０から放出される。このように温度計１９，２１の温度偏差が設定値を超えると確認された場合に、冷却設備１５で冷却してから放水路１１０から海水を放出すると、取水時と排水時の温度偏差の増加を抑制することができ、加熱された海水が環境に与える影響を小さくできる。
【００４０】
また、水位計８による検出水位が設定水位未満であることが確認された場合には、制御装置２０は、温度計１９，２１の検出温度の偏差に関わらず、第１放水側切換弁９と第１取水側切換弁１０に信号を出力し、第１放水側切換弁９を閉じ、第１取水側切換弁１０を開く。そして、第２放水側切換弁１７と第２取水側切換弁１６に信号を出力し、第２放水側切換弁１７を閉じ、第２取水側切換弁１６を開く。これにより、第１の実施の形態と同様に、熱交換器３１２等で加熱された海水は、連絡配管６を介して冷却設備１５で冷却され、給水配管７を介して取水路１０２に放出される。
【００４１】
したがって、本実施の形態においても取水路１０２内の海水量を減少させることなく取水路１０２内の海水温度上昇を軽減することができるので、プラント内に設置された補機３１０，２１０等を継続して冷却することができる。
【００４２】
なお、上記では、通常運転時に温度計１９，２１によって取排水温度差を検知し、当該温度差が所定の設定値を超えた場合に、切換弁９，１０，１６，１７を切り換えて海水を冷却設備１５へ導いて冷却する場合について説明したが、所定の運転操作で取排水温度差が増加することが予め分かっている場合には、当該運転操作の開始信号を制御装置２０へ送信し、これにより切換弁９，１０，１６，１７の切り換え操作を実施しても良い。このようにすれば、温度計１９，２１で温度差を検知するよりも早く対応ができる。取排水温度差が増加する運転操作としては、復水器伝熱管に導く海水の流路を逆転させることで伝熱管内を洗浄する、いわゆる逆洗がある。逆洗操作時には、復水器へ導かれる海水流路の圧力損失が増加する影響で取排水温度差が増加する。
【００４３】
なお、上記の各実施の形態では、冷却設備１５としてクーリングタワーを利用する場合を説明したが、クーリングタワーに代えて、図２に示した給水配管７のように給水配管７における取水路１０２側の端部に散水ノズルを設け、当該散水ノズルから取水路１０２に向けて海水を散布することで海水を冷却するものを冷却設備としても良い。さらに、クーリングタワーと代替可能な他の空冷方式としては、地震や津波の発生時にも利用可能な非常用電源によって稼働される圧縮機を有するヒートポンプを設置し、当該ヒートポンプによって海水を冷却する構成としても良い。
【００４４】
また、本発明は、上記の実施の形態に限定されるものではなく、その要旨を逸脱しない範囲内の様々な変形例が含まれる。例えば、本発明は、上記の実施の形態で説明した全ての構成を備えるものに限定されず、その構成の一部を削除したものも含まれる。また、ある実施の形態に係る構成の一部を、他の実施の形態に係る構成に追加又は置換することが可能である。
【００４５】
さらに、上記の制御装置２０に係る各構成や当該各構成の機能及び実行処理等は、それらの一部又は全部をハードウェア（例えば各機能を実行するロジックを集積回路で設計する等）で実現しても良い。また、上記の制御装置２０に係る構成は、演算処理装置（例えばＣＰＵ）によって読み出し・実行されることで当該制御装置２０の構成に係る各機能が実現されるプログラム（ソフトウェア）としてもよい。当該プログラムに係る情報は、例えば、半導体メモリ（フラッシュメモリ、ＳＳＤ等）、磁気記憶装置（ハードディスクドライブ等）及び記録媒体（磁気ディスク、光ディスク等）等に記憶することができる。
【符号の説明】
【００４６】
６…連絡配管、７…給水配管、８…水位計、９…放水側切換弁、１０…取水側切換弁、１１…放水配管、１５…冷却設備、１６…取水側切換弁、１７…放水側切換弁、１８…放水配管、１９，２１…温度計、２０…制御装置、１００…堰、１０２…取水路、１０８…海洋、１１０…放水路、１３０…ポンプ、２００…タービン建屋、２１０，３１０…補機、２１２，３１２…熱交換器、３００…原子炉建屋
【図１】
2014153305.tif 000003
【図２】
2014153305.tif 000004
【図３】
2014153305.tif 000005